(57)【要約】【課題】大きな力を必要とせずキャップチップを容易に取り外すことができるスポット溶接機の電極チップ取り外し用工具を提供する。【解決手段】シャンクにテーパー嵌合されたキャップチップを取り外すために使用されるスポット溶接機の電極チップ取り外し用工具において、工具本体１の先端部に前後に開閉してシャンクのテーパー部を把持するシャンク係合部６及び１１を設け、該シャンク係合部６及び１１を閉じるように付勢するコイルばねを付設し、一方のシャンク係合部６に同心円弧状のキャップチップの下面を支承するチップ支承部５を設けた。【選択図】図１
2004066252.tif 000002
【特許請求の範囲】
【請求項１】
シャンクにテーパー嵌合されたキャップチップを取り外すために使用されるスポット溶接機の電極チップ取り外し用工具において、工具本体の先端部にシャンクのテーパー部を把持するシャンク係合部を設け、該シャンク係合部は２分割して前後に開閉自在とするとともに閉じるように付勢する付勢部材を付設し、閉じた状態でシャンクのテーパー部に係合してシャンクのテーパー部を把持するものとし、２分割されたシャンク係合部の一方に同心円弧状のキャップチップの下面を支承するチップ支承部を設けたことを特徴とするスポット溶接機の電極チップ取り外し用工具。
【発明の詳細な説明】
【０００１】
【発明の属する技術分野】
本発明は、スポット溶接機に装着された電極チップを取り外すために使用するスポット溶接機の電極チップ取り外し用工具に関し、特にキャップチップの取り外しに適したスポット溶接機の電極チップ取り外し用工具に関するものである。
【０００２】
【従来の技術】
スポット溶接機にはワークを挟んで加圧、通電するための電極チップが装着されており、この電極チップは溶接を繰り返すことにより変形、消耗するため、一定の期間ごとに交換する必要がある。こうした電極チップには、シャンクにキャップチップをテーパー嵌合し、キャップチップだけを交換するようにしたものがあるが、テーパー嵌合されたキャップチップは溶接時の加圧力により強固に嵌合した状態となっているので取り外す際には大きな引き離し力を要し、キャップチップは電極チップ自体にスパナ等を係合させる形状を有しないため専用の取り外し用工具を使用しても取り外しが容易でないという問題があった。
【０００３】
図１３及び図１４は従来の取り外し用工具の例を示すもので、二股のフォーク状に形成した工具本体１９の各刃部２０、２０をテーパーとしたものである。この工具は図１５及び図１６に示すように刃部２０、２０をキャップチップ１５の下面とシャンク１６のテーパー部１７の根元に設けられた段部１８との間に挿入して押し込み、刃部２０、２０のテーパー面に沿ってキャップチップ１５を押し上げることによりキャップチップ１５を取り外すものである。このような工具ではキャップチップ１５と刃部２０、２０とが点で接触した状態で摺動させるため、動きがスムースでなく、大きな力を要するという問題があった。
【０００４】
【発明が解決しようとする課題】
本発明は上記の問題点を解決し、大きな力を必要とせずキャップチップを容易に取り外すことができるスポット溶接機の電極チップ取り外し用工具を提供するためになされたものである。
【０００５】
【課題を解決するための手段】
上記の課題を解決するためになされた本発明のスポット溶接機の電極チップ取り外し用工具は、シャンクにテーパー嵌合されたキャップチップを取り外すために使用されるスポット溶接機の電極チップ取り外し用工具において、工具本体の先端部にシャンクのテーパー部を把持するシャンク係合部を設け、該シャンク係合部は２分割して前後に開閉自在とするとともに閉じるように付勢する付勢部材を付設し、閉じた状態でシャンクのテーパー部に係合してシャンクのテーパー部を把持するものとし、２分割されたシャンク係合部の一方に同心円弧状のキャップチップの下面を支承するチップ支承部を設けたことを特徴とするものである。
【０００６】
【発明の実施の形態】
次に、本発明の実施の形態について図を参照しながら具体的に説明する。
本発明のスポット溶接機の電極チップ取り外し用工具は、図１にその外観を示すように、鉤状の工具本体１と、工具本体１内に装着して工具本体１の長さ方向に摺動自在とした摺動子２と、工具本体１の外側に装着した握りパイプ３を主要部分として構成したものである。
【０００７】
図２及び図３は工具本体１の構造を示すもので、工具本体１の先端部は正面側を開口部４としたものであり、該開口部４には工具本体１の先端側に外径を電極キャップチップより大径とした扇形で薄肉としたチップ支承部５が設けてある。また、チップ支承部５の内側部分は内径がシャンクの外径より若干大径のシャンク係合部６としてある。工具本体１の中間部下面には摺動子２を装着する下面を開放したガイド溝７が、中間部上面には摺動子２の移動範囲を規制する規制孔８がそれぞれ設けてあり、後端部にはスプリング受け部９が設けてある。１０は工具本体１の中間部に設けた握りパイプ３の取り付け用のねじ孔である。
【０００８】
図４及び図５は摺動子２の構造を示すもので、工具本体１のガイド溝７に装着されて前後に摺動可能なように長い角棒状としてあり、先端には円弧状のシャンク係合部１１が設けてある。また、摺動子２の先端部にはシャンク挿入ガイド１２が正面側に向けて突設してあり、後端部には規制孔８に挿入されて摺動子２の移動範囲を規制する規制ピン１３が設けてある。
【０００９】
このように構成された工具本体１及び摺動子２は、工具本体１の下面から摺動子２をガイド溝７に装着し、規制ピン１３を規制孔８に挿入して組み立てる。次にスプリング受け部９と摺動子２の間にコイルばね１４を圧縮した状態で装着し、摺動子２、コイルばね１４を装着した工具本体１の外側から握りパイプ３を装着してねじ孔１０にねじをねじ込んで取り付ける。これにより摺動子２は握りパイプ３によりガイド溝７から脱落することがないように前後動自在に保持されてシャンク係合部６とシャンク係合部１１は開閉自在となり、コイルばね１４により閉じるように付勢されることとなる。
【００１０】
図６及び図７は上記のように工具本体１、摺動子２、握りパイプ３を組み立てた状態を示すものである。この状態では摺動子２はコイルばね１４の弾発力により規制ピン１３を規制孔８により規制される最も前進した位置にあり、シャンク係合部６とシャンク係合部１１は対向して円形のシャンク係合部を形成する。ここにおいて、シャンク係合部６は下面を面取りをしてチップ支承部５の断面形状を刃形とすることが好ましく、シャンク係合部１１は上面を面取りして刃形とすることが好ましい。
【００１１】
前記のように構成した電極チップ取り外し用工具の開口部４を図８に示すように取り外そうとするキャップチップ１５に臨ませ、シャンク挿入ガイド１２をシャンク１６のテーパー部１７の根元に設けられた段部１８とキャップチップ１５の下面との間のテーパー部１７に当接して押し込む。シャンク係合部６とシャンク係合部１１の端面により開口部４側に形成される間隙は、テーパー部１７の外径より小さいが、摺動子２はシャンク挿入ガイド１２がテーパー部１７に押されて後退し、図９に示すようにシャンク係合部６とシャンク係合部１１の端面でテーパー部１７を挟む形となる。さらに工具を押し込めば、図１０及び図１１に示すようにテーパー部１７はシャンク係合部６とシャンク係合部１１の間に収まることとなり、摺動子２はコイルばね１４の弾発力により前進、復帰する。
【００１２】
この状態で握りパイプ３の後端部を下方に押し下げれば、図１２に示すように摺動子２のシャンク係合部１１下面が団部１８に当接して先端部が上方に移動し、チップ支承部５がキャップチップ１５を押し上げることとなる。これによりキャップチップ１５はテーパー部１７に対するテーパー嵌合を解かれ、手でつまんで取り外すことができる状態となる。このとき、シャンク係合部６はテーパー部１７のテーパーに沿って移動するため、シャンク係合部６とシャンク係合部１１の間隙が大きくなることが必要であるが、摺動子２が摺動することにより移動が円滑に行われるものである。また、キャップチップ１５はその下面をチップ支承部５の広い面でずれないように支承されるため、安定に支持され、局部的に力が加わることもない。
【００１３】
【発明の効果】
以上説明したように、本発明のスポット溶接機の電極チップ取り外し用工具は、取り外し対象のキャップチップ装着部に押し込んで握りパイプを押し下げるという簡単な操作でキャップチップを取り外すことができ、握りパイプの押し下げに要する力は梃子の作用により小さなものでよいという利点がある。したがって、従来の問題点を全て解決したスポット溶接機の電極チップ取り外し用工具を提供するものとして業界に寄与するところ極めて大である。
【図面の簡単な説明】
【図１】本発明の実施の形態を示す斜視図である。
【図２】工具本体の平面図である。
【図３】工具本体の正面図である。
【図４】摺動子の平面図である。
【図５】摺動子の正面図である。
【図６】組み立てた状態を示す部分横断平面図である。
【図７】組み立てた状態を示す部分縦断正面図である。
【図８】使用時の状態を示す要部の平面図である。
【図９】使用時の状態を示す要部の平面図である。
【図１０】使用時の状態を示す要部の平面図である。
【図１１】使用時の状態を示す要部の縦断正面図である。
【図１２】使用時の状態を示す要部の縦断正面図である。
【図１３】従来の電極チップ取り外し用工具の例を示す要部の平面図である。
【図１４】従来の電極チップ取り外し用工具の例を示す要部の正面図である。
【図１５】従来の電極チップ取り外し用工具の使用時の状態を示す要部の平面図である。
【図１６】従来の電極チップ取り外し用工具の使用時の状態を示す要部の縦断正面図である。
【符号の説明】
１　工具本体
２　摺動子
３　握りパイプ
４　開口部
５　チップ支承部
６　シャンク係合部
７　ガイド溝
８　規制孔
９　スプリング受け部
１０　ねじ孔
１１　シャンク係合部
１２　シャンク挿入ガイド
１３　規制ピン
１４　コイルばね
１５　キャップチップ
１６　シャンク
１７　テーパー部
１８　段部
１９　工具本体
２０　刃部
【図１】
2004066252.tif 000003
【図２】
2004066252.tif 000004
【図３】
2004066252.tif 000005
【図４】
2004066252.tif 000006
【図５】
2004066252.tif 000007
【図６】
2004066252.tif 000008
【図７】
2004066252.tif 000009
【図８】
2004066252.tif 000010
【図９】
2004066252.tif 000011
【図１０】
2004066252.tif 000012
【図１１】
2004066252.tif 000013
【図１２】
2004066252.tif 000014
【図１３】
2004066252.tif 000015
【図１４】
2004066252.tif 000016
【図１５】
2004066252.tif 000017
【図１６】
2004066252.tif 000018